(57)【要約】【課題】  １種類の水中ポンプで略自動交互運転を可能とした水中ポンプ装置を提供する。【解決手段】  水中ポンプ装置２０における貯留槽２１内に２台の水中ポンプ１が設置される。各水中ポンプ１の水位センサは単体の静電容量センサ１０からなる。各水中ポンプ１における制御回路は、静電容量センサ１０により水位を所定時間継続して検出した際に水中ポンプ１を起動するための起動設定時間が異なる複数種のタイマ回路を備える。複数種のタイマ回路の中から起動設定時間が交互に選択されて静電容量センサ１０による水位の検出により起動し、水位センサ１による水位の未検出により所定時間経過後停止するように制御されている。【選択図】    図３
2006022668.tif 000002
【特許請求の範囲】
【請求項１】
ポンプ本体に備えられた水位センサにより検出される水位の増減に応じて自動的に起動・停止される制御回路を有してなる水中ポンプにおいて、
前記水位センサは単体とされ、
前記制御回路は、前記水位センサにより水位を所定時間継続して検出した際に前記水中ポンプを起動するための起動設定時間が異なる複数種のタイマ回路を備え、
前記複数種のタイマ回路の中から起動設定時間が選択されて前記水位センサによる水位の検出により起動し、水位センサによる水位の未検出により所定時間経過後停止するように制御されていることを特徴とする水中ポンプ。
【請求項２】
請求項１に記載の水中ポンプにおいて、
前記水位センサの外部センサ部が前記ポンプ本体の外部に高さ調整可能に備えられていることを特徴とする水中ポンプ。
【請求項３】
請求項１または請求項２に記載の水中ポンプにおいて、
前記水位センサは誘電率の変化により水位を検出する静電容量センサとされ、該静電容量センサにおける一方の電極が前記水中ポンプの金属部分とされ、他方の電極が水中ポンプの外部に取り出し配置されていることを特徴とする水中ポンプ。
【請求項４】
請求項１ないし請求項３のいずれかに記載の水中ポンプを用いた水中ポンプ装置において、
貯留槽内に、前記水中ポンプが複数台設置されたことを特徴とする水中ポンプ装置。
【請求項５】
請求項４に記載の水中ポンプ装置において、
前記水中ポンプの設置台数は２台とされ、各水中ポンプにおける前記起動設定時間は、短い検出時間により起動する短起動設定時間と、長い検出時間により起動する長起動設定時間との２種類の前記タイマ回路を備えると共に、短起動設定時間と長起動設定時間とが交互に選択されるように制御されていることを特徴とする水中ポンプ装置。
【発明の詳細な説明】
【技術分野】
【０００１】
本発明は、合併浄化槽等の貯留槽内に設置され、槽内の水を排水する水中ポンプおよび、その水中ポンプを用いた水中ポンプ装置に関するものである。
【背景技術】
【０００２】
従来、合併浄化槽等の貯留槽内には、溜まった汚水等の水を排水するための水中ポンプが２台設置され、１台の水中ポンプが故障した場合であっても、残りの水中ポンプの作動により貯留槽の水が溢れないように配慮された構造とされていた。
【０００３】
そして、長期間にわたって一方の水中ポンプのみが作動して、他方の水中ポンプが停止状態となり、停止状態の水中ポンプの錆び付き等の事態を招かないように、１台目の水中ポンプには、起動用と停止用の２組のフロートスイッチが備えられた構造とされ、２台目の水中ポンプには、起動用、停止用および２台同時運転用の３組のフロートスイッチが備えられた構造とされており、２台の水中ポンプが交互に運転されるように制御されていた（例えば、特許文献１〜特許文献３参照。）。
【０００４】
【特許文献１】特開平６−２４１１９１号公報
【特許文献２】実開平１−１７６７７２号公報
【特許文献３】実開昭５８−１５２５８０号公報
【発明の開示】
【発明が解決しようとする課題】
【０００５】
しかしながら、上記従来のような構造で２台の水中ポンプを自動交互運転させる方法によれば、２組のフロートスイッチが備えられた水中ポンプと３組のフロートスイッチが備えられた水中ポンプとの２種類の水中ポンプが必要となり、２種類の水中ポンプを用意する必要があった。
【０００６】
従って、製造コストが嵩むと共に、在庫スペースも嵩むという欠点があった。
【０００７】
そこで、本発明はこれらの問題点に鑑み、１種類の水中ポンプで略自動交互運転を可能とした水中ポンプおよびその水中ポンプを用いた水中ポンプ装置を提供することを目的とする。
【課題を解決するための手段】
【０００８】
上記課題を解決するための水中ポンプの技術的手段は、ポンプ本体に備えられた水位センサにより検出される水位の増減に応じて自動的に起動・停止される制御回路を有してなる水中ポンプにおいて、前記水位センサは単体とされ、前記制御回路は、前記水位センサにより水位を所定時間継続して検出した際に前記水中ポンプを起動するための起動設定時間が異なる複数種のタイマ回路を備え、前記複数種のタイマ回路の中から起動設定時間が選択されて前記水位センサによる水位の検出により起動し、水位センサによる水位の未検出により所定時間経過後停止するように制御されている点にある。
【０００９】
また、前記水位センサの外部センサ部が前記ポンプ本体の外部に高さ調整可能に備えられている構造としてもよい。
【００１０】
さらに、前記水位センサは誘電率の変化により水位を検出する静電容量センサとされ、該静電容量センサにおける一方の電極が前記水中ポンプの金属部分とされ、他方の電極が水中ポンプの外部に取り出し配置されている構造としてもよい。
【００１１】
また、上記課題を解決するための水中ポンプ装置の技術的手段は、貯留槽内に、前記水中ポンプが複数台設置された点にある。
【００１２】
さらに、前記水中ポンプの設置台数は２台とされ、各水中ポンプにおける前記起動設定時間は、短い検出時間により起動する短起動設定時間と、長い検出時間により起動する長起動設定時間との２種類の前記タイマ回路を備えると共に、短起動設定時間と長起動設定時間とが交互に選択されるように制御されている点にある。
【発明の効果】
【００１３】
以上のように、本発明の水中ポンプによれば、水位センサは単体とされ、制御回路は、水位センサにより水位を所定時間継続して検出した際に水中ポンプを起動するための起動設定時間が異なる複数種のタイマ回路を備え、複数種のタイマ回路の中から起動設定時間が選択されて水位センサによる水位の検出により起動し、水位センサによる水位の未検出により所定時間経過後停止するように制御されているため、選択された起動設定時間に応じて水位センサにより所定の水位を所定時間継続して検出すれば、水中ポンプが起動し、水中ポンプの作動による排水により水位が下がって水位センサが所定の水位を未検出となれば、所定時間経過後に停止する。
【００１４】
従って、複数種のタイマ回路の中から選択された起動設定時間に応じて、水位センサが水位を検出して水中ポンプが起動するまでの運転開始時間が異なる制御を行うことができる。
【００１５】
また、前記水位センサの外部センサ部が前記ポンプ本体の外部に高さ調整可能に備えられている構造とすれば、外部センサ部の高さ位置を調整することにより、水位センサによって検出される水位を容易に調整できる。
【００１６】
さらに、前記水位センサは誘電率の変化により水位を検出する静電容量センサとされ、該静電容量センサにおける一方の電極が前記水中ポンプの金属部分とされ、他方の電極が水中ポンプの外部に取り出し配置されている構造とすれば、従来のようなフロートスイッチを備えた構造の水中ポンプと比較してよりコンパクトに構成でき、水中ポンプの小型化が図れる利点がある。
【００１７】
また、本発明の水中ポンプ装置によれば、貯留槽内に、前記水中ポンプが複数台設置された構造とされており、貯水槽内に汚水等の水が流入して水位が上昇し、各水中ポンプの水位センサによりそれぞれ所定の水位を検出した状態が継続すれば、選択された起動設定時間が短い水中ポンプが起動して排水が開始され、選択された起動設定時間が長い水中ポンプは起動する前に水位が下がれば、起動設定時間が長い水中ポンプは起動しない。
【００１８】
そして、次回に、貯水槽内に水が流入して水位が上昇して各水中ポンプの水位センサによりそれぞれ所定の水位を検出した状態が継続した場合にも同様に、選択された起動設定時間が短い水中ポンプが起動して排水が開始され、選択された起動設定時間が長い水中ポンプは起動する前に水位が下がれば、起動設定時間が長い水中ポンプは起動しない。
【００１９】
この際、各水中ポンプの制御回路は起動設定時間が異なる複数種のタイマ回路を備え、この複数種のタイマ回路の中から起動設定時間が選択される構成であるため、水中ポンプの起動回数に応じて選択される起動設定時間が変化し、ここに、短い起動設定時間が選択される水中ポンプが自動的に変更され、起動される水中ポンプが順次替わり、長期間にわたって同じ水中ポンプのみが作動し、他の水中ポンプが停止した状態が続くという事態を有効に防止できる。
【００２０】
また、同一種類の水中ポンプを複数台設置するだけでよいため、異なる種類の水中ポンプを製造する必要がなく、量産に適し、製造コスト削減が図れると共に、複数種の水中ポンプを用意する必要がないため、在庫スペースも削減でき、経済性に優れる利点がある。
【００２１】
さらに、水中ポンプにおける水位センサの外部センサ部がポンプ本体の外部に高さ調整可能に備えられている構造であれば、各水中ポンプにおける水位センサの外部センサ部高さを互いに異なるように調整すれば、各水中ポンプの同時起動が有効に防止できる。
【００２２】
また、水位センサは誘電率の変化により水位を検出する静電容量センサとされ、該静電容量センサにおける一方の電極が水中ポンプの金属部分とされ、他方の電極が水中ポンプの外部に取り出し配置されている構造であれば、従来のフロートスイッチに比較してよりコンパクトに構成できる。しかも、従来のフロートスイッチ式の水中ポンプにおいては、フロートスイッチが上下揺動して水位を検出する構造であり、フロートスイッチが他方の水中ポンプと干渉して誤動作を起こさないように、２台の水中ポンプを離して設置する必要があり、貯留槽の大型化を招いていたが、静電容量センサによる検出方式によれば、貯水槽内の空気と液体との誘電率の違いにより水位を検出する構造であり、各水中ポンプを離して設置する必要がなく、貯留槽を小型化できる利点がある。
【００２３】
さらに、水中ポンプの設置台数は２台とされ、各水中ポンプにおける起動設定時間は、短い検出時間により起動する短起動設定時間と、長い検出時間により起動する長起動設定時間との２種類の前記タイマ回路を備えると共に、短起動設定時間と長起動設定時間とが交互に選択されるように制御されている構造とすれば、１種類の水中ポンプで略自動交互運転が有効に図れる利点がある。
【００２４】
この際、水位センサの外部センサ部が高さ調整自在に備えられている構造であれば、互いの外部センサ部の高さを適宜異ならせることにより、自動交互運転をより確実に行わせることができる。
【発明を実施するための最良の形態】
【００２５】
以下、本発明の実施形態を図面に基づいて説明すると、図１に示されるように、水中ポンプ１におけるポンプ本体１ａは、モータ部２を収容する金属製のモータケーシング３と、該モータケーシング３上部の上ケーシング部３ａ上に着脱自在に装着された回路基板４やその他の電装品等を覆って装着された樹脂製等からなるモータカバー５と、羽根車を収容すると共に汲み上げ液流の流路を形成する樹脂製等からなるポンプケーシング６と、モータケーシング３とポンプケーシング６との間に配置された油室ハウジング７とを備えている。
【００２６】
そして、モータ部２の駆動軸２ａは、モータケーシング３の底部と上ケーシング部３ａとに軸受８を介して上下方向の軸心回りに回転自在に支持され、駆動軸２ａの下部は油室ハウジング７を上下方向に貫通して配置され、その下端部に羽根車が装着された構造とされている。
【００２７】
また、油室ハウジング７によって構成される油室内には潤滑油が収容されると共に、駆動軸２ａが貫通された部分における駆動軸２ａと油室ハウジング７との相互間をシールすべくメカニカルシールが装着されている。
【００２８】
前記回路基板４には、トランス、リレー等が適宜実装されると共に、所望のタイマー回路等により所定の制御回路が構成されている。
【００２９】
さらに、ポンプ本体１ａには、水位を検出するための水位センサとしての静電容量センサ１０が備えられており、該静電容量センサ１０における一方の電極１０ａはモータカバー５内で金属部分である上ケーシング部３ａに接続されてモータケーシング３が一方の電極１０ｂを構成し、静電容量センサ１０における他方の電極１０ｃはモータカバー５の外部に取り出し配置された構造とされている。
【００３０】
そして、空気の比誘電率は約１であり、また水の比誘電率は５０程度であるため、一方の電極１０ｂとしてのモータケーシング３と他方の電極１０ｃとの相互間の誘電率の測定による相違から、電極１０ｃ位置が水に漬かっているか、空気中に露出しているかを識別するように制御されている。
【００３１】
また、回路基板４に備えられた制御回路は、静電容量センサ１０により電極１０ｃ位置が水に漬かっている状態の水位を所定時間継続して検出した際に、水中ポンプ１を起動するための起動設定時間が異なる２種類のタイマ回路を備えると共に、水中ポンプ１の起動後において電極１０ｃが空気中に露出することにより、水位を未検出の状態となった場合には、所定時間経過後に停止するように制御されている。このようなタイマ回路として例えば遅延回路等を採用すればよい。
【００３２】
例えば、水中ポンプ１を起動させるタイマ回路の２種類の起動設定時間として、静電容量センサ１０による水位の検出が短い検出時間で起動させる短起動設定時間ｔ１＝３秒と、長い検出時間で起動させる長起動設定時間ｔ２＝１０秒が設定され、水位を未検出の状態となった場合には、所定の停止設定時間ｔ３＝１５秒経過後に停止するように設定されている。
【００３３】
次に、この水中ポンプ１における水位の増減に応じて自動的に起動・停止される制御プログラムに基づく動作を、図２のフローチャートを参照しながら説明する。
【００３４】
即ち、水中ポンプ１は初期値としてｎ＝０が設定されており（ステップ１）、その後、ステップ２に移行して、ｎ＝ｎ＋１とされる。
【００３５】
次に、ステップ３に移行して、ｎは奇数かどうかが判断され、ｎが奇数であれば、水中ポンプ１が起動するための条件である水位の検出継続時間としての起動設定時間Ｔｎとしてｔ１＝３秒が設定される（ステップ４）。また、ｎが奇数でなく、偶数であれば、起動設定時間Ｔｎとしてｔ２＝１０秒が設定される（ステップ５）。
【００３６】
その後、ステップ６に移行して、静電容量センサ１０により水中ポンプ１の起動が必要な水位、即ち起動水位を検出しているかどうかが判断される。そして、静電容量センサ１０により起動水位を検出していれば、その検出状態が所定時間、即ち起動設定時間Ｔｎ継続して経過したかどうかが判断される（ステップ７）。
【００３７】
そして、検出状態が起動設定時間Ｔｎ継続して経過しなければ、ステップ８に移行して、静電容量センサ１０により水中ポンプ１の起動水位を検出しているかどうかが判断され、起動水位を検出していれば、ステップ７に戻る。また、ステップ８において、水中ポンプ１の起動水位を検出していなければ、ステップ９に移行して、ｎは奇数かどうかが判断され、奇数であればステップ３に戻され、偶数であればステップ２に戻される。
【００３８】
また、ステップ７において、検出状態が起動設定時間Ｔｎ継続して経過すれば、水中ポンプ１が起動し（ステップ１０）、排水運転が開始される。その後、ステップ１１に移行して、静電容量センサ１０により起動水位を未検出になったかどうかが判断され、起動水位を検出していれば、水中ポンプ１の運転が継続される。
【００３９】
そして、起動水位が未検出になれば、所定の停止設定時間ｔ３＝１５秒を経過したかどうかが判断され、停止設定時間ｔ３＝１５秒を経過すれば、水中ポンプ１の運転が停止し、ステップ２に戻る。
【００４０】
従って、この水中ポンプ１によれば、水の貯留槽内への流入により静電容量センサ１０の電極１０ｃ部分が水に漬かった場合、１度目は短起動設定時間ｔ１＝３秒間、水に浸水した状態を検出して運転が開始される。そして、水中ポンプ１の排水により水位が下降して電極１０ｃ部分の水が無くなると、その後継続して停止設定時間ｔ３＝１５秒間運転をした後、水中ポンプ１を停止するように制御されている。
【００４１】
その後、時間の経過による水の流入により、貯留槽内の水位が上昇して電極１０ｃ部分が水に浸水すると、今度は長起動設定時間ｔ２＝１０秒間、水に浸水した状態を検出して運転が開始される。そして、水中ポンプ１の排水により水位が下降して電極１０ｃ部分の水が無くなると、その後継続して停止設定時間ｔ３＝１５秒間運転をした後、水中ポンプ１を停止するように制御されている。
【００４２】
次に、電極１０ｃ部分が水に浸水すると、１度目のように３秒後に運転を開始し、水位が下がると、１５秒後に運転を停止する。
【００４３】
このように、静電容量センサ１０による水位の検出によって運転開始の時期が短起動設定時間である３秒後に運転する状態と、長起動設定時間である１０秒後に運転する状態とを交互に繰り返すように制御されている。
【００４４】
次に、図３に示すように、この水中ポンプ１を用いた合併浄化槽等の第１の実施形態にかかる水中ポンプ装置２０について説明する。
【００４５】
即ち、本実施形態においては、水中ポンプ装置２０における貯留槽２１内に、水中ポンプ１が２台設置された構造とされている。この場合、両水中ポンプ１における静電容量センサ１０の電極１０ｃ部分の高さは略同じ高さとなっている。
【００４６】
そして、貯留槽２１内への水の流入に伴って水位が上昇し、電極１０ｃが水に浸水した状態となる。この水の流入に際して、流入する水の勢いによって水の波立ちが生じており、どちらか一方の電極１０ｃ部分が水と接触して浸水し、短起動設定時間であるｔ１＝３秒経過後にその水中ポンプ１が起動して運転を開始する。この際、この先に運転を開始する水中ポンプ１を第１ポンプとし、他方の水中ポンプ１を第２ポンプとする。
【００４７】
そして、第１ポンプの運転が開始して排水が行われると、貯留槽２１内の水位は急速に低下するので、第２ポンプの静電容量センサ１０は水位の検出時間が起動設定時間Ｔｎが短起動設定時間であるｔ１＝３秒に達しないため、運転を開始しない。
【００４８】
第１ポンプによる排水後、再び水の流入により水位が電極１０ｃ部分に達すると、第１ポンプは起動設定時間Ｔｎが長起動設定時間であるｔ２＝１０秒後の運転となっており、第２ポンプは起動設定時間Ｔｎが短起動設定時間であるｔ１＝３秒後の運転となっているため、第１ポンプは運転が開始されずに、第２ポンプが先に運転を開始する。そして、第２ポンプによって排水される。
【００４９】
この際、第１ポンプは運転を開始しないが、図２におけるフローチャートのステップ７からステップ８、ステップ９を経過してステップ２に戻され、起動設定時間Ｔｎは短起動設定時間であるｔ１＝３秒に変更される。また、第２ポンプは運転により、起動設定時間Ｔｎは長起動設定時間であるｔ２＝１０秒に変更される。
【００５０】
そして、第２ポンプによる排水後、再度水が流入して水位が電極１０ｃ部分に達すれば、今度は第１ポンプが３秒後に運転を開始し、第２ポンプは運転を開始せずに起動設定時間Ｔｎは短起動設定時間であるｔ１＝３秒に変更される。
【００５１】
以上のような動作を繰り返すことにより、水中ポンプ装置２０における両水中ポンプ１は自動的に交互運転される。
【００５２】
また、一方の水中ポンプ１の運転中に貯留槽２１への水の流入があり、他方の水中ポンプ１の静電容量センサ１０による起動水位の検出時間が長起動設定時間であるｔ２＝１０秒以上経過した場合には、この他方の水中ポンプ１も運転を開始し、２台が同時運転する状態となって、速やかに貯留槽２１内の水を排水する。
【００５３】
なお、両水中ポンプ１の起動設定時間Ｔｎが同じ場合に、２台の水中ポンプ１が同時運転しても何ら支障がなく、互いの起動設定時間Ｔｎがずれた場合に、その後において交互運転がなされればよい。
【００５４】
本実施形態の水中ポンプ装置２０によれば、同一種類の水中ポンプ１を２台設置するだけで、両水中ポンプ１の略自動的な交互運転が可能であり、起動される水中ポンプ１が順次替わり、長期間にわたって同じ水中ポンプ１のみが作動し、他の水中ポンプ１が停止した状態が続くという事態を有効に防止できると共に、異なる種類の水中ポンプ１をそれぞれ製造する必要がなく、量産に適し、製造コスト削減が図れると共に、複数種の水中ポンプ１を予め用意する必要がないため、在庫スペースも削減でき、経済性に優れる利点がある。しかも、水中ポンプ１における静電容量センサ１０も単体でよく、この点からもコスト削減が図れる利点がある。
【００５５】
また、水位を検出するためのセンサとして静電容量センサ１０を使用しており、静電容量センサに１０おける一方の電極１０ｂが水中ポンプ１の金属部分であるモータケーシング３とされ、他方の電極１０ｃが水中ポンプ１の外部に取り出し配置された構造であり、従来のフロートスイッチに比較してよりコンパクトに構成できる。しかも、従来のフロートスイッチ式の水中ポンプにおいては、フロートスイッチが上下揺動して水位を検出する構造であり、フロートスイッチが他方の水中ポンプと干渉して誤動作を起こさないように、２台の水中ポンプを離して設置する必要があり、貯留槽の大型化を招いていたが、静電容量センサ１０による検出方式によれば、貯水槽２１内の空気と水（液体）との誘電率の違いにより水位を検出する構造であり、各水中ポンプ１を離して設置する必要がなく、貯留槽２１を小型化できる利点がある。
【００５６】
図４は第２の実施形態を示しており、水中ポンプ１に備えられた静電容量センサ１０における外部センサ部としての電極１０ｃが、ポンプ本体１ａの外部に立設状に備えられたガイド杆２３に高さ調整自在に備えられた構造とされている。その他は前記第１の実施形態と同様とされている。
【００５７】
従って、両水中ポンプ１の貯留槽２１内への設置に際して、静電容量センサ１０の電極１０ｃの高さを互いに適宜高さ異ならせておけば、起動設定時間Ｔｎが同じであっても、電極１０ｃが低い側に配置された水中ポンプ１の方が先に起動するため、同時起動が有効に防止でき、その後の起動設定時間Ｔｎが互いに異なるため、自動交互運転をより確実に行わせることができる。
【００５８】
なお、上記各実施形態において、静電容量センサ１０の起動水位の検出による起動設定時間Ｔｎとして短起動設定時間ｔ１＝３秒と長起動設定時間ｔ２＝１０秒との２種類のタイマ回路、および起動水位の未検出による停止設定時間ｔ３＝１５秒のタイマ回路を備えた構造を示しているが、起動設定時間Ｔｎの短起動設定時間ｔ１や長起動設定時間ｔ２は３秒や１０秒に限らず、また、未検出後の運転時間である停止設定時間ｔ３も１５秒に限らず、その他の秒数であってもよく、貯留槽２１の大きさに応じて適宜設定すればよい。
【００５９】
また、このような時間ｔ１、ｔ２、ｔ３のタイマ回路を変更可能に構成し、用途に応じて適宜設定する構造であってもよい。
【００６０】
さらに、上記各実施形態においては、水位センサとして静電容量センサ１０を用いた構造を示しているが、静電容量センサ１０に何ら限定するものでなく、水と空気との絶縁抵抗の違いで検出する水位センサであってもよく、外部センサ部として従来のようなフロートスイッチ等を配置して上記同様の制御を行う構造としてもよい。
【００６１】
また、起動設定時間Ｔｎが短起動設定時間ｔ１と長起動設定時間ｔ２の２種の異なるタイマ回路を備えた構造を示しているが、３以上の異なる複数種のタイマ回路を備えた構造としてもよく、さらには起動設定時間Ｔｎの短起動設定時間ｔ１と長起動設定時間ｔ２とが交互に繰り返される制御とされているが、２回毎や３回毎に変更される制御であってもよく、いずれが選択されるかの変更頻度は適宜設定すればよく、上記実施形態の制御プラグラムに何ら限定されない。
【００６２】
さらに、水中ポンプ装置２０の貯留槽２１内に２台の水中ポンプ１を設置した構造を示しているが、３台以上設置する構造であってもよく、１台のみの設置であってもよい。
【図面の簡単な説明】
【００６３】
【図１】本発明の実施形態にかかる水中ポンプの一部断面側面図である。
【図２】水中ポンプの制御動作を示すフローチャートである。
【図３】第１の実施形態にかかる水中ポンプ装置の側面説明図である。
【図４】第２の実施形態にかかる水中ポンプ装置の側面説明図である。
【符号の説明】
【００６４】
１  水中ポンプ
１ａ  ポンプ本体
２  モータ部
３  モータケーシング
４  回路基板
５  モータカバー
１０  静電容量センサ
１０ｂ  電極
１０ｃ  電極
２０  水中ポンプ装置
２１  貯留槽
【図１】
2006022668.tif 000003
【図２】
2006022668.tif 000004
【図３】
2006022668.tif 000005
【図４】
2006022668.tif 000006